(57)【要約】【課題】送信先に対応させて電子メールの表示書式を指定する。【解決手段】通信端末の記憶部に記憶されるアドレス帳に、メールアドレスに対応させて電子メールの書式を記憶させている。送信対象の電子メールの送信先メールアドレが入力されたときに（ステップＳ１５）、アドレス帳を検索して送信対象の電子メールの書式を求め、送信対象の電子メールの書式を、該求めた書式に設定し（ステップＳ１６）て送信する（ステップＳ１７）。【選択図】図５
2011248619.tif 000002
【特許請求の範囲】
【請求項１】
送信元の情報或は送信先の情報とメールアドレスを対応させて記憶するアドレス帳と、電子メールを送受信する送受信手段とを備える通信端末であって、
前記アドレス帳に、前記メールアドレスに対応させて、電子メールを表示する際の書式を記憶させる手段と、
送信対象の電子メールの送信先を示すメールアドレスに対応する前記書式を前記アドレス帳を参照して求める書式検索手段と、
送信対象の電子メールを前記書式検索手段で求めた書式に設定する設定手段とを備え、
前記送受信手段は、前記設定手段で設定された電子メールを、前記送信対象の電子メールの送信先を示すメールアドレスに送信する、
ことを特徴とする通信端末。
【請求項２】
前記送信対象の電子メールの送信先を示すメールアドレスが複数ある場合に、該複数のメールアドレスから１つを選択する選択手段を備え、
前記書式検索手段は、前記選択手段で選択されたメールアドレスに対応する前記書式を前記アドレス帳を参照して求めることを特徴とする請求項１に記載の通信端末。
【請求項３】
送信先のカテゴリーとして、それぞれ任意数のメールアドレスが入力可能なＴｏ、Ｃｃ及びＢｃｃを有し、
予め前記Ｔｏ、Ｃｃ及びＢｃｃに優先度を設定する手段を備え、
前記選択手段は、送信対象の電子メールの送信先を示すメールアドレスから最も高い優先度の前記Ｔｏ、Ｃｃ又はＢｃｃに入力されたメールアドレスを選択することを特徴とする請求項２に記載の通信端末。
【請求項４】
電子メールを該電子メールに設定された書式で表示する表示手段を備えることを特徴とする請求項１乃至３のいずれか１項に記載の通信端末。
【請求項５】
前記表示手段の表示する電子メールは、前記送受信手段で受信した電子メールであることを特徴とする請求項４に記載の通信端末。
【請求項６】
前記送受信手段で受信した電子メールの送信元のメールアドレスを検出するアドレス検出手段と、
前記アドレス検出手段の検出したメールアドレスに対応する前記書式を前記アドレス帳を参照して求める受信メール書式検索手段と、
前記送受信手段で受信した電子メールの書式を受信メール書式検索手段で求めた書式に設定する受信メール設定手段とを備え、
前記表示手段は、前記送受信手段で受信した電子メールを前記受信メール設定手段で設定した書式で表示することを特徴とする請求項５に記載の通信端末。
【請求項７】
送信元の情報或は送信先の情報とメールアドレスを対応させて記憶するアドレス帳と、電子メールを送受信する送受信手段とを備える通信端末の通信方法であって、
前記アドレス帳に、前記メールアドレスに対応させて、電子メールを表示する際の書式を記憶させる処理と、
送信対象の電子メールの送信先を示すメールアドレスに対応する前記書式を前記アドレス帳を参照して求める書式検索処理と、
送信対象の電子メールを前記書式検索処理で求めた書式に設定する設定処理とを行い、
前記送受信手段に、前記設定処理で設定された電子メールを、前記送信対象の電子メールの送信先を示すメールアドレスに送信させる、
ことを特徴とする通信端末の通信方法。
【発明の詳細な説明】
【技術分野】
【０００１】
本発明は、電子メールを通信する通信端末及び通信端末の通信方法に関する。
【背景技術】
【０００２】
現在では、携帯電話機でも、電子メールの送受信に使用できるのが一般的であり、さらには、通常の文字や記号の他に、絵文字、キャラクター図形なども電子メールで送受できるようになっている。
このような電子メールを送受信する従来の通信端末には、例えば特許文献１に記載されたものがあった。
【０００３】
特許文献１の通信端末は、電子メールの送信者を受信側で容易に判断できるように、メールアドレスに対応する書式（フォント）を設定するテーブルを記憶しておき、電子メールを受信した場合に、送信元のメールアドレスに基づいてテーブルから送信元に対応する書式を読み出し、受信した電子メールを送信元に設定された書式で表示するようにしている。
【先行技術文献】
【特許文献】
【０００４】
【特許文献１】特開２００５−６５１３９号公報
【発明の概要】
【発明が解決しようとする課題】
【０００５】
特許文献１の通信端末では、受信した電子メールの表示書式を自動的に送信者に対応させることができる。
しかしながら、送信者が送信先に対応させて表示書式を指定することはできない。
【０００６】
本願発明は、このような現状を鑑みてなされた発明であり、送信者が送信先に対応させて、或は受信者が送信元に対応させて表示書式を指定することのできる通信端末及び通信端末の通信方法を提供することを目的とする。
【課題を解決するための手段】
【０００７】
上記目的を達成するために、本発明の第１の観点に係る通信端末は、
送信元の情報或は送信先の情報とメールアドレスを対応させて記憶するアドレス帳と、電子メールを送受信する送受信手段とを備える通信端末であって、
前記アドレス帳に、前記メールアドレスに対応させて、電子メールを表示する際の書式を記憶させる手段と、
送信対象の電子メールの送信先を示すメールアドレスに対応する前記書式を前記アドレス帳を参照して求める書式検索手段と、
送信対象の電子メールを前記書式検索手段で求めた書式に設定する設定手段とを備え、
前記送受信手段は、前記設定手段で設定された電子メールを、前記送信対象の電子メールの送信先を示すメールアドレスに送信する、
ことを特徴とする。
【０００８】
尚、前記送信対象の電子メールの送信先を示すメールアドレスが複数ある場合に、該複数のメールアドレスから１つを選択する選択手段を備え、
前記書式検索手段は、前記選択手段で選択されたメールアドレスに対応する前記書式を前記アドレス帳を参照して求めてもよい。
この場合、送信先のカテゴリーとして、それぞれ任意数のメールアドレスが入力可能なＴｏ、Ｃｃ及びＢｃｃを有し、
予め前記Ｔｏ、Ｃｃ及びＢｃｃに優先度を設定する手段を備え、
前記選択手段は、送信対象の電子メールの送信先を示すメールアドレスから最も高い優先度の前記Ｔｏ、Ｃｃ又はＢｃｃに入力されたメールアドレスを選択してもよい。
【０００９】
また、電子メールを該電子メールに設定された書式で表示する表示手段を備えてもよい。
【００１０】
この場合、前記表示手段の表示する電子メールは、前記送受信手段で受信した電子メールであってもよい。
【００１１】
又、前記送受信手段で受信した電子メールの送信元のメールアドレスを検出するアドレス検出手段と、
前記アドレス検出手段の検出したメールアドレスに対応する前記書式を前記アドレス帳を参照して求める受信メール書式検索手段と、
前記送受信手段で受信した電子メールの書式を受信メール書式検索手段で求めた書式に設定する受信メール設定手段とを備え、
前記表示手段は、前記送受信手段で受信した電子メールを前記受信メール設定手段で設定した書式で表示してもよい。
【００１２】
上記目的を達成するために、本発明の第２の観点に係る通信端末の通信方法は、
送信元の情報或は送信先の情報とメールアドレスを対応させて記憶するアドレス帳と、電子メールを送受信する送受信手段とを備える通信端末の通信方法であって、
前記アドレス帳に、前記メールアドレスに対応させて、電子メールを表示する際の書式を記憶させる処理と、
送信対象の電子メールの送信先を示すメールアドレスに対応する前記書式を前記アドレス帳を参照して求める書式検索処理と、
送信対象の電子メールを前記書式検索処理で求めた書式に設定する設定処理とを行い、
前記送受信手段に、前記設定処理で設定された電子メールを、前記送信対象の電子メールの送信先を示すメールアドレスに送信させる、
ことを特徴とする。
【発明の効果】
【００１３】
本発明によれば、送信者が送信先に対応させて表示書式を指定することができる。
【図面の簡単な説明】
【００１４】
【図１】本発明の実施形態に係る通信端末の要部を示す構成図である。
【図２】アドレス帳の例を示す図である。
【図３】携帯電話機で電子メールを送信するときの動作例を示すフローチャートである。
【図４】メール入力画面の一例を示す図である。
【図５】メールアドレスよりも件名及び本文を先に入力する場合の動作を示すフローチャートである。
【図６】電子メールを複数の送信先に一括して送信する場合であり、さらに、送信者のメールアドレスを入力した後に、メールの件名及び本文を入力する場合の動作を示すフローチャートである。
【図７】電子メールを複数の送信先に一括して送信する場合で、かつ、メールの件名及び本文を入力した後に、メールアドレスを入力する場合の動作を示すフローチャートである。
【図８】電子メールの送信側で設定した書式で件名や本文を表示する場合の動作を示すフローチャートである。
【図９】受信メール画面例を示す図である。
【図１０】電子メールの受信側で設定した書式で件名や本文を表示する場合の動作を示すフローチャートである。
【発明を実施するための形態】
【００１５】
以下、図面に基づき、本発明の実施の形態について詳細に説明する。
図１は、本発明の実施形態に係る通信端末の要部を示す構成図である。
【００１６】
この通信端末は、例えば携帯電話機であり、通話機能、インターネットに接続する機能及び電子メールを送受する機能の他、カメラ等の付加機能を備え、図示しない最寄りの基地局を介して他の携帯電話機に接続されると、接続された携帯電話機との間で通話が可能になり、無線通信網を介してインターネットに接続されると、ＷＥＢの閲覧や電子メールの送受信が可能になる。
【００１７】
図１の携帯電話機は、各種機能を実現するために、電源部１１と、図示しないＲＯＭ（Read Only Memory）で構成され、各種プログラム等を記憶する主記憶部１２と、図示しないＣＰＵ（Central Processing Unit）等で構成されたメイン制御部１３と、図示しない不揮発性メモリ及びＲＡＭ（Random Access Memory）で構成された記憶部１４とを備える。メイン制御部１３は、電源部１１からの電力供給で動作し、主記憶部１２に記憶されたプログラムによって携帯電話機全体の動作を制御する。記憶部１４は後述するアドレス帳を記憶するとともに、メイン制御部１３に作業用の記憶領域を提供する。
【００１８】
メイン制御部１３には、無線通信部１５、音声信号処理部１６、表示部１７、操作部１８、アプリケーション処理部（ＡＰ処理部）１９、報知部２０、及び撮像部２１が接続されている。
【００１９】
無線通信部１５は、アンテナ２２で受信した信号を復調してメイン制御部１３に与え、メイン制御部１３から与えられた信号を変調してアンテナ２２を介して送信する。
【００２０】
音声信号処理部１６は、マイク２３から入力された音声信号をデジタル信号に変換してメイン制御部１３に与え、メイン制御部１３から与えられたデジタル信号をアナログの音声信号に変換してスピーカ２４から出力する。マイク２３及びスピーカ２４は、音声通話の時に利用される。
【００２１】
表示部１７は、図示しない液晶或は有機ＥＬ（Organic Electro-Luminescence）画面等で構成され、メイン制御部１３から与えられたデータに対応する文字や画像を表示する。
操作部１８は、携帯電話機の筐体に配置された図示しないスイッチやボタン等で構成され、文字や数字を入力するボタン群、モードを切り替えるボタン、決定ボタン、選択ボタン、送信ボタン等が含まれる。
【００２２】
アプリケーション処理部１９は、種々のアプリケーションを処理する手段である。
報知部２０は、着信の有無等を利用者に報知するもので、バイブレータ２０ａ、サウンドスピーカ２０ｂ及びＬＥＤ（Light Emitting Diode）２０ｃ等で構成されている。
【００２３】
撮像部２１は、カメラ機能を実現する手段であり、図示しないレンズやレンズの位置等を調整する機構、撮像した画像のデータをメイン制御部１３に与える手段等で構成されている。撮像した画像のデータは、記憶部１４に記憶されるとともに、表示部１７に表示される。
【００２４】
ここで、記憶部１４に記憶されるアドレス帳について説明する。
図２（ａ），（ｂ）は、アドレス帳の例を示す図である。
送信する電子メールの件名及び本文について文字の書式を指定する機能を持つ場合、アドレス帳には、例えば、図２（ａ）のように個人や法人を示す氏名、電話番号、送信電子メールの送信先及び受信メールの発信元を示すメールアドレス（アドレス）、送信する電子メールの件名及び本文にフォントを指定する書式、及びメモが対応して書き込まれ、記憶部１４に記憶される。
又、送信する電子メールばかりでなく、受信する電子メールの件名及び本文についても文字の書式を指定する機能を持つ場合、図２（ｂ）のように、個人や法人を示す氏名、電話番号、送信電子メールの送信先及び受信メールの発信元を示すメールアドレス（アドレス）、送信する電子メールの件名及び本文のフォントを指定する送信用書式、受信した電子メールの件名及び本文を表示するフォントを指定する受信用書式、及びメモが対応して書き込まれ、記憶部１４に記憶される。送信用書式と受信用書式を同じにすると、送信する電子メールの件名及び本文について指定する書式と、受信する電子メールの件名及び本文を表示する際の書式とを同じにすることができる。
アドレス帳への書込みは、利用者が例えば操作部１８を操作することにより、書き込むことができる。
【００２５】
次に、図１の携帯電話機で電子メールを送信するときの動作を説明する。
図３は、携帯電話機で電子メールを送信するときの動作例を示すフローチャートである。
電源部１１がオンになると（ステップＳ１：ＹＥＳ）、携帯電話機は待ち受けモードとなり、メイン制御部１３は、図示しない待ち受け画面を表示部１７に表示する（ステップＳ２）。ステップＳ２の後には、電子メールの送受信等が可能な電子メールモードとなる（ステップＳ３）。電子メールモードで利用者が操作部１８を用いて新規作成、または既受信メールへの返信、或いは既受信メールの転送を選択すると、メイン制御部１３はメール入力画面を表示部１７に表示する。
【００２６】
図４は、メール入力画面を示す図である。
メール入力画面には、送信する電子メールの件名及び本文の書式が示される領域３１、メールアドレスを表示する領域３２、件名を表示する領域３３、本文を表示する領域３４が含まれる。
【００２７】
利用者は、メール入力画面に対してメールアドレスから入力するか、件名及び本文から入力するかを選択することができる。ここでは、先にメールアドレスを入力する（ステップＳ４）場合を説明する。
【００２８】
利用者がメールアドレスを入力する場合、アドレス帳を利用する場合と利用者がメールアドレスを操作部１８を操作して直接入力する場合とがある。
アドレス帳を利用する場合、利用者は例えば操作部１８を操作し、アドレス帳を表示するように指示する。メイン制御部１３は、その指示に応答してアドレス帳を表示部１７に表示する。利用者は表示されたアドレス帳から送信先を選定する。送信先が選定されると、メイン制御部１３は、アドレス帳の表示を消し、選定された送信先（宛名）のメールアドレスを領域３２に表示したメール入力画面を表示部１７に表示する。
【００２９】
利用者がメールアドレスを直接入力する場合、利用者が操作部１８の操作により、領域３２を選択すると共に、例えば操作部１８の図示しない文字や数字を入力するボタン群を操作し、送信先のメールアドレスを入力する。メイン制御部１３は、利用者が入力したメールアドレスをメール入力画面の領域３２に表示する。
【００３０】
ステップＳ４で送信先のメールアドレスが入力されると、メイン制御部１３は、入力されたメールアドレスに対応する書式をアドレス帳より抽出し、これをメール送信時の書式として設定する（ステップＳ５）。ここで、メールアドレスが利用者によって直接入力されて、入力されたメールアドレスがアドレス帳にない場合には、事前に設定されたデフォルトの例えばゴシックをメール送信時の書式として設定する。若しくは、利用者がメール入力画面の領域３１に表示されている書式をカーソル等で選択することにより、送信する電子メールの書式の設定を指定できるようにしてもよい。この場合、メイン制御１３は、利用者が選択した書式を、送信する電子メールの件名及び本文の書式として設定する。
【００３１】
メール制御部１３は、メール入力画面の領域３１に表示中の書式群のうちの、メール送信時の書式に該当するものを強調表示に切り替える。図４では、明朝体がメール送信時の書式に設定され、明朝体を示す領域３１の“明朝”が強調表示された例を示している。
【００３２】
ステップＳ５の後、利用者が操作部１８を用いて領域３３或は３４を指定し、操作部１８の図示しない文字や数字を入力するボタン群を操作し、電子メールの件名及び本文を入力する（ステップＳ６）。メイン制御部１３は、入力された電子メールの件名の内容を、ステップＳ５で設定された書式で領域３３に表示し、本文の内容をステップＳ５で設定された書式で領域３４に表示する。
【００３３】
電子メールの本文及び件名の入力を完了すると、利用者は操作部１８の図示しない送信ボタンを押下する。メイン制御部１３は、電子メールの件名及び本文をステップＳ５で設定された書式で送信する（ステップＳ７）。メイン制御部１３は、電子メールの送信終了後に、待ち受けモードに戻し、表示部１７に図示しない待ち受け画面を再び表示する。
【００３４】
図５は、メールアドレスよりも件名及び本文を先に入力する場合の動作を示すフローチャートである。
メールアドレスよりも件名及び本文を先に入力する場合でも、電源部１１がオンになると（ステップＳ１１：ＹＥＳ）、携帯電話機は待ち受けモードとなり、メイン制御部１３は、図示しない待ち受け画面を表示部１７に表示する（ステップＳ１２）。ステップＳ１２の後には、電子メールの送受信等が可能な電子メールモードとなる（ステップＳ１３）。電子メールモードで利用者が操作部１８を用いて新規作成、または既受信メールへの返信、或いは既受信メールの転送を選択すると、メイン制御部１３はメール入力画面を表示部１７に表示する。
【００３５】
ステップＳ１３の後、利用者が操作部１８を用いて領域３３或は３４を指定し、操作部１８の図示しない文字や数字を入力するボタン群を操作し、電子メールの件名及び本文を入力して作成する（ステップＳ１４）。メイン制御部１３は、入力された電子メールの件名の内容を、事前に設定されたデフォルトの書式の例えばゴシックで領域３３に表示し、本文の内容をデフォルトの書式のゴシックで領域３４に表示する。
【００３６】
ステップＳ１４の後、メールアドレスの入力が行われる（ステップＳ１５）。
このメールアドレスの入力で、利用者がアドレス帳を利用してアドレスを入力する場合、利用者は操作部１８を操作し、アドレス帳を表示するように指示する。メイン制御部１３は、その指示に応答してアドレス帳を表示部１７に表示する。利用者は表示されたアドレス帳から送信先を選定する。送信先が選定されると、メイン制御部１３は、アドレス帳の表示を消し、選定された送信先のメールアドレスを領域３２に表示したメール入力画面を表示部１７に表示する。これと同時に、メイン制御部１３は、選定された送信先に対応してアドレス帳に登録されている書式を、メール送信時の書式として設定し、メール入力画面の領域３１に表示中の書式群のうちの、メール送信時の書式に該当するものを強調表示に切り替える。また、メイン制御部１３は、メール入力画面の領域３３及びの領域３４に表示されている件名及び本文を、送信時の書式に切り替える（ステップＳ１６）。
【００３７】
利用者がメールアドレスを直接入力する場合、利用者が操作部１３の操作により、領域３２を選択すると共に、操作部１８の図示しない文字や数字を入力するボタン群を操作し、送信先のメールアドレスを入力する。メイン制御部１３は、利用者が入力したメールアドレスをメール入力画面の領域３２に表示する。これと同時にメイン制御部１３は、入力されたメールアドレスがアドレス帳に登録されているかいないかを確認する。アドレス帳に登録されているときには、入力されたメールアドレスに対応する書式をメール送信時の書式として設定し、メール入力画面の領域３１に表示中の書式群のうちの、メール送信時の書式に該当するものを強調表示に切り替える。また、メイン制御部１３は、メール入力画面の領域３３及び領域３４に表示されている件名及び本文を、メール送信時の書式に切り替える（ステップＳ１６）。
【００３８】
入力されたメールアドレスがアドレス帳に登録されていないときは、デフォルトのゴシックをメール送信時の書式として設定し、メール入力画面の領域３１に表示中の書式群のうちの、ゴシックを強調表示に切り替え、メール入力画面の領域３３及びの領域３４にゴシックで表示されている件名及び本文の書式は、変化させない（ステップＳ１６）。尚、メールアドレスが利用者によって直接入力されて、入力されたメールアドレスがアドレス帳に登録されていないときは、利用者がメール入力画面の領域３１に表示されている書式をカーソル等で選択することにより、送信する電子メールの書式を設定できるようにしてもよい。この場合、メイン制御１３は、利用者が選択した書式を、送信する電子メールの件名及び本文の書式として設定すると共に、メール入力画面の領域３３，３４に表示されている電子メールの件名及び本文を、設定された書式で表示する。
【００３９】
メールアドレスの入力が終了した段階で、利用者は操作部１８の図示しない送信ボタンを押下する。メイン制御部１３は、電子メールの件名及び本文を設定された書式で無線通信部１５を介して送信する（ステップＳ１７）。メイン制御部１３は、電子メールの送信終了後に、待ち受けモードに戻し、表示部１７に図示しない待ち受け画面を再び表示する。
【００４０】
以上は、電子メールの送信先が単一の場合の動作であるが、電子メールの送信先が複数ある場合もある。引き続き、複数の送信先に電子メールを送信する場合の動作を説明する。
【００４１】
図６は、電子メールを複数の送信先に一括して同時に送信する場合であり、さらに、送信先のメールアドレスを入力した後に、メールの件名及び本文を入力する場合の動作を示すフローチャートである。
【００４２】
電源部１１がオンになると（ステップＳ２１：ＹＥＳ）、携帯電話機は待ち受けモードとなり、メイン制御部１３は、図示しない待ち受け画面を表示部１７に表示する（ステップＳ２２）。ステップＳ２２の後には、電子メールの送受信等が可能な電子メールモードとなる（ステップＳ２３）。電子メールモードで利用者が操作部１８を用いて新規作成、または既受信メールへの返信、或いは既受信なメールの転送を選択すると、メイン制御部１３はメール入力画面を表示部１７に表示する。
【００４３】
利用者は、メール入力画面に対して複数のメールアドレスを入力する場合も、アドレス帳を利用するか、又は操作部１８を操作して送信先のメールアドレスを入力する（ステップＳ２４）。
【００４４】
電子メールの場合、送信先は３種類のカテゴリーのＴｏ、Ｃｃ（Carbon copy）及びＢｃｃ（Blind carbon copy）に分けられる。主送信先となるＴｏ、副送信先となるＣｃ及びＢｃｃには、それぞれ複数のメールアドレスを指定することができる。尚、Ｃｃ及びＢｃｃにメールアドレスが指定された場合、そのメールアドレスに送信される電子メールの件名及び本文の書式は、Ｔｏに指定されたメールアドレスに送信する電子メールに設定される件名及び本文の書式を、自動的に優先的に設定することが可能である。
【００４５】
メイン制御部１３は、複数の送信先が指定されたと判断した場合（ステップＳ２５：ＹＥＳ）、主送信先のＴｏに入力されたメールアドレスが複数か否かを判断する。送信先のＴｏに複数のメールアドレスが入力されている場合（ステップＳ２６：ＹＥＳ）、メイン制御部１３は、表示部１７に表示を行い、Ｔｏに入力されている複数のメールアドレスのいずれかのうち、書式を優先するメールアドレスを利用者に選択させる（ステップＳ２７）。
【００４６】
ステップＳ２７で利用者がメールアドレスを選択すると、メイン制御部１３は選択されたメールアドレスに対応する書式をアドレス帳より抽出し、これをメール送信時の書式として設定する（ステップＳ２８）。尚、選択されたメールアドレスがアドレス帳にない場合には、デフォルトの例えばゴシックをメール送信時の書式として設定する。若しくは、利用者がメール入力画面の領域３１に表示されている書式をカーソル等で選択することにより、送信するメールの書式をアドレス帳に紐付いた書式以外でも利用者が強制的に変更・設定できるようにしてもよい。
【００４７】
メイン制御部１３が、ステップＳ２５において、ステップＳ２４で利用者が１つのみのメールアドレスを入力した、つまり、主送信先のＴｏに１つのメールアドレスを入力したと判断した場合（ステップＳ２５：ＮＯ）、及びステップＳ２６において、Ｔｏに入力されたメールアドレスが１つだけと判断した場合には（ステップＳ２６：ＮＯ）、メイン制御部１３はＴｏとして入力されたメールアドレスに対応する書式をアドレス帳より抽出し、これをメール送信時の書式として設定する（ステップＳ２９）。この場合も、入力されたメールアドレスがアドレス帳にない場合には、デフォルトの例えばゴシックをメール送信時の書式として設定する。若しくは利用者がメール入力画面の領域３１に表示されている書式をカーソル等で選択することにより、送信する電子メールの書式をアドレス帳に紐付いた書式以外でも利用者が強制的に変更・設定できるようにしてもよい。
【００４８】
ステップＳ２８或はステップＳ２９の後、メール制御部１３は、メール入力画面の領域３１に表示中の書式群のうちの、メール送信時の書式に該当するものを強調表示に切り替える。
【００４９】
ステップＳ２８又はＳ２９の後、利用者が操作部１８を用いて領域３３或は３４を指定し、操作部１８の図示しない文字や数字を入力するボタン群を操作し、電子メールの本文及び件名を入力して作成する（ステップＳ３０）。メイン制御部１３は、入力された電子メールの件名の内容を、ステップＳ２８又はステップＳ２９で設定された書式で領域３３に表示し、本文の内容を設定された書式で領域３４に表示する。
【００５０】
電子メールの本文及び件名の入力を完了すると、利用者は操作部１８の送信ボタンを押下する。メイン制御部１３は、電子メールの本文及び件名を設定された書式で各送信先へ送信する（ステップＳ３１）。メイン制御部１３は、電子メールの送信終了後に、待ち受けモードに戻し、表示部１７に図示しない待ち受け画面を再び表示する。
【００５１】
これに対し、電子メールを複数の送信先に一括して送信する場合で、かつ、メールの件名及び本文を入力した後に、メールアドレスを入力する場合の動作は、図７のフローチャートのようになる。
電源部１１がオンになると（ステップＳ４１：ＹＥＳ）、携帯電話機は待ち受けモードとなり、メイン制御部１３は、図示しない待ち受け画面を表示部１７に表示する（ステップＳ４２）。ステップＳ４２の後には、電子メールの送受信等が可能な電子メールモードとなる（ステップＳ４３）。電子メールモードで利用者が操作部１８を用いて新規作成、または既受信メールへの返信、或いは既受信メールの転送を選択すると、メイン制御部１３はメール入力画面を表示部１７に表示する。
【００５２】
ステップＳ４３の後、利用者が操作部１８を用いてメール入力画面の領域３３或は３４を指定し、操作部１８の図示しない文字や数字を入力するボタン群を操作し、電子メールの件名及び本文を入力する（ステップＳ４４）。メイン制御部１３は、入力された電子メールの件名の内容を、デフォルトの書式の例えばゴシックで領域３３に表示し、本文の内容をデフォルトの書式のゴシックで領域３４に表示する。
【００５３】
ステップＳ４４の後、利用者により、メールアドレスの入力が行われる（ステップＳ４５）。利用者が複数のメールアドレスを入力する場合、アドレス帳を利用するか、又は操作部１７を操作し、主送信先であるＴｏや、必要に応じて副送信先のＣｃ或はＢｃｃにメールアドレスを入力する。
【００５４】
メイン制御部１３は、複数の送信先が指定されたと判断した場合（ステップＳ４６：ＹＥＳ）、主送信先のＴｏに入力されたメールアドレスが複数か否かを判断する。主送信先のＴｏに複数のメールアドレスが入力されている場合（ステップＳ４７：ＹＥＳ）、メイン制御部１３は、表示部１７に表示を行い、Ｔｏに入力されている複数のメールアドレスのいずれかのうち、書式を優先するメールアドレスを利用者に選択させる（ステップＳ４８）。
【００５５】
ステップＳ４８で利用者がメールアドレスを選択すると、メイン制御部１３は選択されたメールアドレスに対応する書式をアドレス帳より抽出し、これをメール送信時の書式として設定する（ステップＳ４９）。尚、メールアドレスが利用者によって直接入力されて、入力されたメールアドレスがアドレス帳にない場合には、デフォルトの例えばゴシックをメール送信時の書式として設定する。メール送信時の書式の設定が終了すると、メール制御部１３は、メール入力画面の領域３１に表示中の書式群のうちの、メール送信時の書式に該当するものを強調表示に切り替える。また、メイン制御部１３は、メール入力画面の領域３３及び領域３４に表示されている件名及び本文を、送信時の書式に切り替える。
ここで、Ｔｏとして入力されたメールアドレスがアドレス帳に登録されていないときは、利用者がメール入力画面の領域３１に表示されている書式をカーソル等で選択することにより、送信する電子メールの書式を設定できるようにしてもよい。この場合、メイン制御１３は、利用者が選択した書式を、送信する電子メールの件名及び本文の書式として設定すると共に、メール入力画面の領域３３，３４に表示されている電子メールの件名及び本文を利用者が選択した書式で表示する。
【００５６】
一方、ステップＳ４６において、ステップＳ４５で利用者が１つのみのメールアドレスを入力した、つまり、主送信先のＴｏに１つのメールアドレスを入力したと判断した場合（ステップＳ４６：ＮＯ）、及びステップＳ４７において、Ｔｏに入力されたメールアドレスが１つだけと判断した場合には（ステップＳ４７：ＮＯ）、メイン制御部１３はＴｏとして入力されたメールアドレスに対応する書式をアドレス帳より抽出し、これをメール送信時の書式として設定する（ステップＳ５０）。この場合も、入力されたメールアドレスがアドレス帳にない場合には、デフォルトの書式の例えばゴシックをメール送信時の書式として設定する。メール制御部１３は、メール入力画面の領域３１に表示中の書式群のうちの、メール送信時の書式に該当するものを強調表示に切り替える。また、メイン制御部１３は、メール入力画面の領域３３及びの領域３４に表示されている件名及び本文を、送信時の書式に切り替える。
尚、Ｔｏとして入力されたメールアドレスがアドレス帳に登録されていないときは、利用者がメール入力画面の領域３１に表示されている書式をカーソル等で選択することにより、送信する電子メールの書式を設定できるようにしてもよい。この場合、メイン制御１３は、利用者が選択した書式を、送信する電子メールの件名及び本文の書式として設定すると共に、メール入力画面の領域３３，３４に表示されている電子メールの件名及び本文を利用者の選択した書式で表示する。
【００５７】
メールアドレスの入力が終了した段階で、利用者は操作部１８の送信ボタンを押下する。メイン制御部１３は、電子メールの件名及び本文を設定された書式で無線通信部１５を介して各送信先へ信送信する（ステップＳ５１）。メイン制御部１３は、電子メールの送信終了後に、待ち受けモードに戻し、表示部１７に図示しない待ち受け画面を再び表示する。
以上は、複数の送信先に一括して同時に電子メールを送信する場合に、それらの書式を、Ｔｏに入力されたメールアドレスに対応する書式に統一して設定しているが、これに限定されるものではない。送信先のカテゴリーのＴｏ、Ｃｃ及びＢｃｃに優先度を付けておき、入力された複数のメールアドレスのうち最も高い優先度のカテゴリーに入力されたメールアドレスに対応する書式に、一括して送信する電子メールの書式を統一して設定してもよい。この場合、例えばＴｏ、Ｃｃ、Ｂｃｃの順に優先度が高くなるように優先度を付けておくと、Ｔｏ、Ｃｃ、Ｂｃｃの全てにメールアドレスが入力されたときには、優先度の最も高いＢｃｃに入力されているメールアドレスに対応する書式を、一括して送信する電子メールの書式として設定する。Ｂｃｃにはメールアドレスが入力されず、Ｔｏ及びＣｃにメールアドレスが入力されたときには、Ｃｃに入力されたメールアドレスに対応する書式を、一括して送信する電子メールの書式として設定する。Ｃｃ及びＢｃｃにはメールアドレスが入力されず、Ｔｏのみにメールアドレスが入力されたときには、Ｔｏに入力されたメールアドレスに対応する書式を、一括して送信する電子メールの書式として設定する。
又、複数の送信先に一括して送信する電子メールの書式を、統一しなくてもよい。送信先のそれぞれのメールアドレスに対応してアドレス帳に登録されている書式を、各電子メールの書式に設定して送信してもよい。このとき、メール入力画面の領域３２の複数のメールアドレスのそれぞれにカーソルを持って行くと、そのメールアドレスに対応する書式を領域３１で強調表示するようにしてもよい。
また、これとは別に、送信先が複数の場合でも、アドレス帳に紐付いた書式とは別に領域３１から選択することにより、利用者が強制的に書式を変更できるものであってもかまわない。
【００５８】
次に、電子メールを受信して表示する時の動作を説明する。
受信した電子メールの表示方法には、電子メールの送信側で設定した書式で件名や本文を表示する方法と、電子メールの受信側で設定した書式で件名や本文を表示する方法とがある。利用者は、これらの表示方法を事前に設定することが可能である。
【００５９】
電子メールの送信側で設定した書式で件名や本文を表示する場合の動作を図８のフローチャートを参照して説明する。
電源部１１がオンになると（ステップＳ６１：ＹＥＳ）、携帯電話機は待ち受けモードとなり、メイン制御部１３は、図示しない待ち受け画面を表示部１７に表示する（ステップＳ６２）。ステップＳ６２の後には、電子メールの送受信等が可能な電子メールモードとなる（ステップＳ６３）。
【００６０】
電子メールモードにおいて、電子メールを受信すると（ステップＳ６４：ＹＥＳ）、メイン制御部１３は、受信した電子メールの件名及び本文について指定されている書式を確認する（ステップＳ６５）。
【００６１】
ステップＳ６５の結果、受信した電子メールの件名及び本文について、指定された書式がない場合には、電子メールの件名及び本文の表示書式をデフォルトとして事前に設定された例えばゴシックと設定する。受信した電子メールの本文及び件名について、指定された書式があれば、電子メールの本文及び件名の表示書式をその指定された書式と設定する（ステップＳ６６）。
【００６２】
ステップＳ６６の後、メイン制御部１３は、設定した書式で、受信した電子メールを表示部１７に受信メール画面として表示部１７に表示する（ステップＳ６７）。尚、ステップＳ６５の直後には電子メールの表示を行わず、電子メールの着信を利用者に知らせることのみを行い、利用者が希望した場合に表示部１７に電子メールを表示するようにしてもよい。
【００６３】
ステップＳ６６で電子メールを表示した後、利用者が操作部１８を操作し、電子メールの閲覧を終了したとき、メイン制御部１３は、待ち受けモードに戻し、表示部１７に待ち受け画面を再び表示する。
【００６４】
図９は、受信メール画面例を示す図である。
表示部１７に表示される受信メール画面には、電子メールの件名及び本文の書式が示される領域４１、送信元のメールアドレスを表示する領域４２、電子メールの件名を表示する領域４３、電子メールの本文を表示する領域４４が含まれる。
ステップＳ６１〜ステップＳ６６の処理により、領域４３に示される電子メールの件名、及び領域４４に示される本文は、送信元で指定された書式で表示される。
【００６５】
次に、電子メールの受信側で設定した書式で件名や本文を表示する場合の動作を図１０のフローチャートを参照して説明する。
電源部１１がオンになると（ステップＳ７１：ＹＥＳ）、携帯電話機は待ち受けモードとなり、メイン制御部１３は、待ち受け画面を表示部１７に表示する（ステップＳ７２）。ステップＳ７２の後には、電子メールの送受信等が可能な電子メールモードとなる（ステップＳ７３）。
【００６６】
電子メールモードにおいて、電子メールを受信すると（ステップＳ７４：ＹＥ）、メイン制御部１３は、受信した電子メールの送信元のメールアドレスを検出し、検出したメールアドレスがアドレス帳に記憶されているいなか否かを確認する（ステップＳ７５）。
【００６７】
検出したメールアドレスがアドレス帳に記憶されているときには、メイン制御部１３は、そのメールアドレスに対応して記憶されている受信用書式を、電子メールの表示書式として設定する。検出したメールアドレスがアドレス帳に記憶されていないときには、デフォルトとして事前に設定された例えばゴシックを電子メールの表示書式として設定する（ステップＳ７６）。尚、検出したメールアドレスがアドレス帳に記憶されていないときには、送信元から指定された書式を電子メールの表示書式として設定してもよい。
【００６８】
続いて、メイン制御部１３は、ステップＳ７６で設定した表示書式で、受信した電子メールを表示部１７の受信メール画面に表示する（ステップＳ７７）。尚、ステップＳ７６の直後には電子メールの表示を行わず、電子メールの着信を利用者に知らせることのみを行い、利用者が希望した場合に表示部１７に電子メールを表示するようにしてもよい。
【００６９】
ステップＳ７７で電子メールを表示した後、利用者が操作部１８を操作し、電子メールの閲覧を終了したとき、メイン制御部１３は、待ち受けモードに戻し、表示部１７に待ち受け画面を再び表示する。
【００７０】
図１０のステップＳ７１〜７７を行うことにより、受信側で設定した書式で受信した電子メールの本文及び件名を表示できる。
【００７１】
以上のような本実施形態の携帯電話機では、アドレス帳にメールアドレスに対応させて書式を登録している。そのため、送信時には、メールアドレスに対応する書式に設定した電子メールを送信することができる。また、電子メールを受信する場合でも、送信元のメールアドレスに基づいて電子メールの書式を変更できる。これらにより、電子メールの個性化が容易となる。
【００７２】
尚、本発明は、上記実施形態に限定されず、種々の変形が可能である。
例えば、本発明は、電子メールを送受信する機能を持つ通信端末一般に適用可能であり、携帯電話機に限定されるものではない。
【００７３】
又、上記実施形態では、送信先が複数ある場合に、電子メールの書式を統一する例を示したが、送信先毎に電子メールの書式を設定してもよい。
【００７４】
又、例えば、アドレス帳に自装置のメールアドレスとそれに対応させて書式を登録しておき、送信先のＴｏに自装置のメールアドレスを入力することにより、全ての送信先に、発信元の指定する書式の電子メールを送信することができる。これにより、発信者がだれであるかを示す電子メールの送信が可能となる。
【符号の説明】
【００７５】
１１・・・電源部、１２・・・主記憶部、１３・・・メイン制御部、１４・・・記憶部、１５・・・無線通信部、１６・・・音声信号処理部、１７・・・表示部、１８・・・操作部、１９・・・アプリケーション処理部、２０・・・報知部、２１・・・撮像部、２２・・・アンテナ、２３・・・マイク、２４・・・スピーカ
【図１】
2011248619.tif 000003
【図２】
2011248619.tif 000004
【図３】
2011248619.tif 000005
【図４】
2011248619.tif 000006
【図５】
2011248619.tif 000007
【図６】
2011248619.tif 000008
【図７】
2011248619.tif 000009
【図８】
2011248619.tif 000010
【図９】
2011248619.tif 000011
【図１０】
2011248619.tif 000012